(57)【要約】【課題】厚さの異なる押し子への変更を容易に行なうことができる押釦スイッチを提供するものである。【解決手段】押釦スイッチ１００は、可動接点部材１と、可動接点部材１が接触する固定接点部３を有する基台２と、基台２に貼付けられ可動接点部材１を覆う保護シート４と、可動接点部材１に対応する位置で保護シート４に溶着された押し子５と、を有し、押し子５は、光により保護シート４に溶着された溶着部５ａと、光を透過する透過部５ｂとを積層して形成している。これにより、押し子５の厚さ寸法を変える時に透過部５ｂの厚さ寸法のみを変えて対応することができるため、押し子５の厚さ寸法を変えたとしても、溶着する為の光の照射条件を都度変更する必要がなくなる。【選択図】図２
0003178598.tif 000002
【実用新案登録請求の範囲】
【請求項１】
可動接点部材と、
該可動接点部材が接触する固定接点部を有する基台と、
前記基台に貼付けられ前記可動接点部材を覆う保護シートと、
前記可動接点部材に対応する位置で前記保護シートに溶着された押し子と、を有し、
前記押し子は、光により前記保護シートに溶着された溶着部と、光を透過する透過部とを積層して形成されていることを特徴とする押釦スイッチ。
【請求項２】
前記溶着部は黒色または暗色で、透過部は透明または半透明であることを特徴とする請求項１に記載の押釦スイッチ。
【請求項３】
前記押し子は、ポリエーテルエーテルケトンからなる材料で形成されていることを特徴とする請求項１または請求項２に記載の押釦スイッチ。
【請求項４】
前記保護シートは、前記可動接点部材と対向する側の面に、前記保護シートを前記基台に貼り付ける粘着層が形成され、
前記保護シートの粘着層と前記可動接点部材との間には、前記可動接点部材に対応する箇所の少なくとも一部にカバー部材が配設されていることを特徴とする請求項１に記載の押釦スイッチ。
【考案の詳細な説明】
【技術分野】
【０００１】
本考案は、押し子が保護シートに一体化された押釦スイッチに関し、特に、押し子の厚さが変わっても生産性のよい押釦スイッチに関するものである。
【背景技術】
【０００２】
昨今、電子機器の操作スイッチとして用いられる押釦スイッチには、取り付けられた電子部品の操作部材により押圧される押し子が保護シートに一体化されたものがある。このような押釦スイッチには、取り付けられる電子機器に応じて、押し子の厚さを変更して対応することが求められている。
【０００３】
このような従来の押釦スイッチとしては、下記の特許文献１に記載の押釦スイッチが知られている。以下、図７を用いて、特許文献１に記載の押釦スイッチについて説明する。図７は、特許文献１における押釦スイッチ９００の構造を示す断面図である。特許文献１に記載の押釦スイッチ９００は、シート部材９１０と、シート部材９１０の一方の面側に保持されたクリックばね９４０と、クリックばね９４０とは対向するシート部材９１０の他方の面に設けられ、クリックばね９４０への押圧力を伝達する押圧力伝達部材９２０とを有している。シート部材９１０と押圧力伝達部材９２０とを、互いに溶着可能な合成樹脂材で形成し、シート部材９１０と押圧力伝達部材９２０との重ね合わせ部Ｐに、レーザーを照射、あるいは超音波を印加させることにより、重ね合わせ部Ｐを溶着させてシート部材９１０と押圧力伝達部材９２０とを固定している。
【先行技術文献】
【特許文献】
【０００４】
【特許文献１】特開２００６−３４４５１１号公報
【考案の概要】
【考案が解決しようとする課題】
【０００５】
特許文献１に記載の押釦スイッチ９００は、厚さの異なる押圧力伝達部材９２０を複数種類準備し厚さを変更することで、取り付けられる電子機器に最適な高さに切り換えることができる。しかしながら、要求に合わせて押圧力伝達部材９２０の厚さを変更すると、押圧力伝達部材９２０の蓄熱容量が変わるため、押圧力伝達部材９２０の厚さに合わせてレーザー光などの強度や照射時間などを調整する必要があり、生産性を向上させ難かった。
【０００６】
本考案は、上述した課題を解決して、押圧力伝達部材９２０のような押し子の厚さが変わっても生産性のよい押釦スイッチを提供するものである。
【課題を解決するための手段】
【０００７】
請求項１に記載の押釦スイッチは、可動接点部材と、該可動接点部材が接触する固定接点部を有する基台と、前記基台に貼付けられ前記可動接点部材を覆う保護シートと、前記保護シートに溶着された押し子と、を有し、前記押し子は、光により溶着された溶着部と、光を透過する透過部とを積層して形成している、という特徴を有する。
【０００８】
請求項２に記載の押釦スイッチは、前記溶着部は黒色または暗色で、前記透過部は透明または半透明である、という特徴を有する。
【０００９】
請求項３に記載の押釦スイッチは、前記押し子は、ポリエーテルエーテルケトンからなる材料で形成されている、という特徴を有する。
【００１０】
請求項４に記載の押釦スイッチは、前記保護シートは、前記可動接点部材と対向する側の面に、前記保護シートを前記基台に貼り付ける粘着層が形成され、前記保護シートの粘着層と前記可動接点部材との間には、前記可動接点部材に対応する箇所の少なくとも一部にカバー部材が配設されている、という特徴を有する。
【考案の効果】
【００１１】
請求項１の考案によれば、押し子を、光の照射により溶着される溶着部と、光を透過する透過部とを積層して形成することで、レーザー光などにより溶着される溶着部の厚さを一定にし、透過部の厚さを要求に合わせて調整することが可能となる。これにより、押し子の厚さを変えても溶着部の厚さは変わらないので押し子の蓄熱容量は変わらず、レーザー光の照射条件を変える必要はなくなる。したがって、押し子の厚さに対して複数種類の要求があったとしても、その都度レーザー光の照射条件を調整する必要がなくなるため、押し子の厚さが変わっても生産性のよい押釦スイッチを提供することができる、という効果を奏する。
【００１２】
請求項２の考案によれば、溶着部の色を黒色または暗色とすることで効率的に熱を吸収しやすくなるとともに、透過部の色を透明または半透明とすることで光は透過され熱を吸収し難くなる。したがって、押し子の厚さが変わっても押し子の蓄熱容量はより変動しにくく、レーザー光の照射条件の調整はより必要がなくなるため、押し子の厚さが変わっても生産性のよりよい押釦スイッチを提供することができる、という効果を奏する。
【００１３】
請求項３の考案によれば、押し子を、耐熱性の良いポリエーテルエーテルケトンで形成することで、高温環境に配置された場合でも変形し難くなる。したがって、リフロー半田付けなどの高温環境にも対応可能な押釦スイッチを提供することができる、という効果を奏する。
【００１４】
請求項４の考案によれば、保護シートと可動接点部材との間の、可動接点部材に対応した箇所にカバー部材を配設することで、可動接点部材が保護シートに貼り付きにくくなる。保護シートと可動接点部材が貼り付くと、保護シートと可動接点部材とは互いの動作を阻害し、押釦スイッチの操作者は引っかかり感を感じるなど操作感触が悪いと感じることがある。保護シートが可動接点部材に貼り付きにくくなることで、引っかかり感がなく操作感触がよい押釦スイッチを提供することができる、という効果を奏する。
【００１５】
以上より、本考案によれば、押し子を光の照射により溶着される溶着部と、光を透過する透過部とを積層して形成することで、溶着部の厚さを一定にし、透過部の厚さを要求に合わせて調整することが可能となる。これにより、押し子の厚さが変わっても溶着部の蓄熱容量は変わらないため、押し子の厚さに合わせてレーザー光などの照射条件を都度調整する必要がなくなり、押し子の厚さが変わっても生産性のよい押釦スイッチを提供することができる。
【図面の簡単な説明】
【００１６】
【図１】第１実施形態における押釦スイッチ１００の外観を示す図である。
【図２】第１実施形態における押釦スイッチ１００の構成を示す分解斜視図である。
【図３】図１（ｂ）に示す断面Ｉ−Ｉで切断した押し子５を示す断面図である。
【図４】図１（ｂ）に記載の断面Ｉ−Ｉで押釦スイッチ１００を切断した状態を示す断面図である。
【図５】図１（ｂ）に示す断面Ｉ−Ｉで切断した厚さ寸法がｔ３の押し子５を示す断面図である。
【図６】カバー部材６の形状が図２における形状と異なる場合を示した押釦スイッチ１００の構成を示す分解斜視図である
【図７】特許文献１における押釦スイッチ９００の構造を示す断面図である。
【考案を実施するための形態】
【００１７】
［第１実施形態］
以下に第１実施形態における押釦スイッチ１００について説明する。まず始めに本実施形態における押釦スイッチ１００の構成について図１ないし図３を用いて説明する。図１は第１実施形態における押釦スイッチ１００の外観を示す図であり、図１（ａ）は押釦スイッチ１００の外観を示す斜視図であり、図１（ｂ）は押釦スイッチ１００の外観を示す平面図である。図２は第１実施形態における押釦スイッチ１００の構成を示す分解斜視図である。図３は図１（ｂ）に示す断面Ｉ−Ｉで押し子５を切断した状態を示す断面図である。
【００１８】
押釦スイッチ１００は、図１に示すような外観であり、図２に示すように、可動接点部材１と、可動接点部材１が接触する固定接点部３を有する基台２と、基台２に貼付けられ可動接点部材１を覆う保護シート４と、保護シート４に溶着された押し子５と、可動接点部材１と保護シート４との過度な粘着を防ぐカバー部材６を備えている。
【００１９】
可動接点部材１は、導電性を有した金属板からなり、中央部には一方側へ略球面形状に突出してなる膨出部１ａを有する。膨出部１ａは、突出した方向から押圧されると、押圧された方向へ撓んだ後に反転可能である。
【００２０】
基台２は、合成樹脂材料からなり、略直方体形状に形成されている。基台２は、図２におけるＺ１方向側の面である上面に、凹形状に形成され可動接点部材１を内部に収容可能な収容部２ａを有している。収容部２ａの内部底面には固定接点部３が露出して形成されている。また、基台２のＸ１−Ｘ２方向の側面のＹ２方向側には、それぞれ、金属板からなる第１接続端子部３ｃが突出して形成され、基台２のＸ１−Ｘ２方向の側面のＹ１方向側には、それぞれ、金属板からなる第２接続端子部３ｄが突出して形成されている。第１接続端子部３ｃおよび第２接続端子部３ｄは、外部との電気的接続が可能である。
【００２１】
固定接点部３は、導電性を有した金属板からなり、一部を基台２の収容部２ａの内部底面に露出して基台２と一体に形成されている。また、固定接点部３は、収容部２ａの内部底面の中央部に形成された第１固定接点部３ａと、収容部２ａの内部底面の第１固定接点部３ａを挟んで対向する位置に形成された第２固定接点部３ｂとからなる。なお本実施形態においては、第２固定接点部３ｂは、Ｘ１−Ｘ２方向に平行で第１固定接点部３ａを通る仮想直線上の収容部２ａの外周端近傍に形成されている。また、第１固定接点部３ａと第２固定接点部３ｂとは電気的に接続していない。また、第１固定接点部３ａと第１接続端子部３ｃとは電気的に接続されており、第２固定接点部３ｂと第２接続端子部３ｄとも電気的に接続されている。
【００２２】
押し子５は、合成樹脂材からなり、略円柱状に形成されている。押し子５は、図３に示すように、光により溶着可能な溶着部５ａと、光を透過する透過部５ｂとを積層して形成されており、本実施形態においてはポリエーテルエーテルケトン（Ｐｏｌｙｅｔｈｅｒｅｔｈｅｒｋｅｔｏｎｅ、以降はＰＥＥＫと記す）からなる材料で形成されるとともに、溶着部５ａは黒色または暗色に着色されており、透過部５ｂは透明または半透明としている。
【００２３】
保護シート４は、透光性を有した合成樹脂材からなり、シート状に形成され、基台２の収容部２ａを覆うことができる大きさである。なお、本実施形態においては、保護シート４は、押し子５と同じ材料であるＰＥＥＫから形成されている。また、保護シート４の一方の面には、粘着剤からなり粘着力を備えた粘着層４ａが形成されている。
【００２４】
なお、押し子５と保護シート４とを個別に説明したが、実際には押し子５と保護シート４とは一体に形成された状態で用いられる。図３に示すように、保護シート４の粘着層４ａを有する面の裏面の中央部に、すなわち、保護シート４を基台２に貼り付けたときに可動接点１に対応する位置に、押し子５は溶着部５ａと保護シート４とが接触するように配置される。保護シート４上に配置された押し子５は、図３に示す矢印Ｌのように、Ｚ２方向から保護シート４を介して溶着部５ａにレーザー光が照射される。レーザー光が照射された溶着部５ａは黒色または暗色に着色されているため、レーザー光を透過しない。したがって、溶着部５ａはレーザー光の熱により溶かされ、図３に示す破線で囲んだＡ部近傍が溶着され、押し子５と保護シート４とは一体に形成される。
【００２５】
カバー部材６は、合成樹脂材からなり、シート状に形成され、基台２の収容部２ａの内部に納まる大きさである。なお、本実施形態においては、カバー部材６は、押し子５と同じ材料であるＰＥＥＫから形成されている。また、本実施形態においては、カバー部材６は、図２のＺ１方向から平面視した際に、可動接点部材１とほぼ同じ形状で、かつほぼ同じ大きさに形成されている。
【００２６】
次に押釦スイッチ１００の構造について図４を用いて説明する。図４は図１（ｂ）に記載の断面Ｉ−Ｉで押釦スイッチ１００を切断した状態を示す断面図であり、図４（ａ）は初期状態における押釦スイッチ１００を示す断面図であり、図４（ｂ）は押圧操作を受けた状態の押釦スイッチ１００を示す断面図である。
【００２７】
可動接点部材１は、膨出部１ａをＺ１方向である上方を向けて、基台２の収容部２ａの内部に配設される。このとき、可動接点部材１の外周端部は第２固定接点部３ｂに接触し、可動接点部材１と第２固定接点部３ｂとは電気的に接続される。押し子５が一体に形成された保護シート４は、粘着層４ａと収容部２ａとが対向する向きで、保護シート４が収容部２ａを覆うように、基台２に積層して配設され、保護シート４を基台２に貼り付けることで保持される。なお、このとき、可動接点部材１に対応する粘着層４ａの箇所の少なくとも一部には、カバー部材６が貼り付けられており、カバー部材６は保護シート４の粘着層４ａと可動接点部材１との間に配設される。なお本実施形態においては、可動接点部材１に対応する箇所のほぼすべての箇所にカバー部材６が配設されている。押釦スイッチ１００はこのような構造で形成されている。
【００２８】
次に押釦スイッチ１００の動作について図４を用いて説明する。押圧操作を受けていない初期状態の押釦スイッチ１００は、図４（ａ）に示すように、第１固定接点部３ａと第２固定接点部３ｂとは電気的な接続はされていない。次に、図４（ｂ）に示すように、押釦スイッチ１００が、例えば、電子機器の構成部品である押圧部材ＯＰなどにより押し子５をＺ２方向へ押圧操作されると、押し子５は保護シート４およびカバー部材６を介して可動接点部材１をＺ２方向へ押圧する。Ｚ２方向へ押圧された可動接点部材１は、膨出部１ａがＺ２方向へ撓んだ後にＺ２方向へ反転し、第１固定接点部３ａに接触する。可動接点部材１と第１固定接点部３ａとが接触することで、第１固定接点部３ａと第２固定接点部３ｂとの間が電気的に接続される。また、押し子５への押圧を解除すると、押釦スイッチ１００は図４（ａ）に示す初期状態に復帰し、第１固定接点部３ａと第２固定接点部３ｂとの間の電気的な接続がなくなる。このようにして第１固定接点部３ａと第２固定接点部３ｂとの間の電気的な接続状態を切り換え、第１接続端子部３ｃおよび第２接続端子部３ｄを介して外部へ出力することで、押釦スイッチとして機能する。
【００２９】
以下、本実施形態としたことによる効果について説明する。
【００３０】
本実施形態の押釦スイッチ１００では、可動接点部材１と、可動接点部材１が接触する固定接点部３を有する基台２と、基台２に貼付けられ可動接点部材１を覆う保護シート４と、保護シート４に溶着された押し子５と、を有し、押し子５は、光により溶着された溶着部５ａと、光を透過する透過部５ｂとを積層して形成している、構成とした。
【００３１】
これにより、押し子５を、光の照射により溶着される溶着部５ａと、光を透過する透過部５ｂとを積層して形成する構成としたことで、押し子５の厚さ寸法ｔ０は、図３に示すように溶着部５ａの厚さ寸法ｔ１と透過部５ｂの厚さ寸法ｔ２とを足した値となる。各種要求に合わせて厚さ寸法ｔ０を変更するとき、従来技術では押し子５に該当する部材は、溶着部５ａと同様の材料のみで形成されているため、厚さ寸法が変わると蓄熱容量も変化してしまう。したがって、その都度、レーザー光の照射条件を変更しないと、押し子５に該当する部材が溶けず溶着できなくなったり、溶けすぎて穴が開いたりするなどの不具合が発生してしまう。本実施形態の構成とすることで、押し子５の厚さ寸法ｔ０を変更する際に、レーザー光などにより溶着される溶着部５ａの厚さ寸法ｔ１を一定にし、透過部５ｂの厚さ寸法ｔ２を要求に合わせて調整することが可能となる。例えば、図３に示す押し子５の厚さ寸法ｔ０の２倍の厚さ寸法ｔ３に形成する場合について、図３および図５を用いて説明する。図５は、図１（ｂ）に示す断面Ｉ−Ｉで切断した厚さ寸法がｔ３の押し子５を示す断面図である。図３においては、溶着部５ａの厚さ寸法ｔ１と透過部５ｂの厚さ寸法ｔ２とはほぼ同じ厚さ寸法で図示している。図５に示すように、押し子５の厚さ寸法ｔ０を図３における押し子５の厚さ寸法ｔ０の２倍の厚さ寸法ｔ３に形成するときには、溶着部５ａの厚さ寸法ｔ１は図３の状態から変更せずに、図３における透過部５ｂの厚さ寸法ｔ２を、３倍の厚さとなる厚さ寸法ｔ４にすることで対応できる。これにより、押し子５の厚さを変えても、レーザー光などにより溶着される溶着部５ａの蓄熱容量は変わらないので、レーザー光の照射条件を変える必要はなくなる。したがって、押し子の厚さが変わっても生産性のよい押釦スイッチを提供することができる、という効果を奏する。
【００３２】
また、本実施形態の押釦スイッチ１００では、溶着部５ａは黒色または暗色で、透過部５ｂは透明または半透明である、構成とした。
【００３３】
これにより、溶着部５ａの色を黒色または暗色とすることで効率的に熱を吸収しやすくなるとともに、透過部５ｂの色を透明または半透明とすることで光は透過され熱を吸収し難くなる。よって、透過部５ｂの厚さ寸法ｔ２が変わることで、押し子５の蓄熱容量が変動することをより確実に防ぐことができる。したがって、押し子の厚さが変わっても押し子の蓄熱容量はより変動しにくく、レーザー光の照射条件の調整はより必要がなくなるため、押し子の厚さが変わっても生産性のよりよい押釦スイッチを提供することができる、という効果を奏する。
【００３４】
また、本実施形態の押釦スイッチ１００では、押し子５は、ＰＥＥＫからなる材料で形成されている、構成とした。
【００３５】
これにより、押し子５を、耐熱性の良いＰＥＥＫで形成することで、高温環境に放置された場合でも変形し難くなる。リフロー半田付けなどの高温環境にも対応可能な押釦スイッチを提供することができる、という効果を奏する。
【００３６】
また、本実施形態の押釦スイッチ１００では、保護シート４は、可動接点部材１と対向する側の面に、保護シート４を基台２に貼り付ける粘着層４ａが形成され、保護シート４の粘着層４ａと可動接点部材１との間には、可動接点部材１に対応する箇所の少なくとも一部にカバー部材６が配設されている、構成とした。
【００３７】
これにより、保護シート４と可動接点部材１との間の、可動接点部材１に対応した箇所にカバー部材６を配設することで、可動接点部材１が保護シート４に貼り付きにくくなる。保護シート４と可動接点部材１が貼り付くと、保護シート４と可動接点部材１とは互いの動作を阻害し、押釦スイッチの操作者は引っかかり感を感じるなど操作感触が悪いと感じることがある。保護シート４が可動接点部材１に貼り付きにくくなることで、引っかかり感がなく操作感触がよい押釦スイッチを提供することができる、という効果を奏する。
【００３８】
また、本実施形態においては、カバー部材６は、図２のＺ１方向から平面視した際に、可動接点部材１とほぼ同じ形状で、かつほぼおなじ大きさに形成されている。これにより、可動接点部材１と保護シート４とが貼り付くことをほぼ確実に防ぐことができる。したがって、引っかかり感がなく、より操作感触がよい押釦スイッチを提供することができる、という効果を奏する。
【００３９】
また、本実施形態の押釦スイッチ１００では、保護シート４、押し子５およびカバー部材６を同一材料のＰＥＥＫを用いて形成した。これにより、押釦スイッチ１００がリフロー半田付け工程などの高温度環境の中に配置され、保護シート４、押し子５およびカバー部材６がそれぞれ熱膨張した場合に、熱膨張係数が同じことから極端に膨張の仕方が異なる部材が無い。よって、熱膨張により応力が集中する箇所が発生し難く、応力集中による破損や、剥がれなどが発生し難い構成となっている。したがって、リフロー半田により確実に対応可能な押釦スイッチを提供することができる、という効果を奏する。
【００４０】
以上のように、本考案の実施形態に係る押釦スイッチを具体的に説明したが、本考案は上記の実施形態に限定されるものではなく、要旨を逸脱しない範囲で種々変更して実施することが可能である。例えば、次のように変形して実施することができ、これらの実施形態も本考案の技術的範囲に属する。
【００４１】
（１）本実施形態において、基台２は合成樹脂材料からなり、固定接点部３を備え、略直方体形状に形成された構成としたが、基台２は固定接点部３を備え、平板状に形成された構成でも良い。例えば、基台２をプリント基板とし、プリント基板にパターン配線により固定接点部３を設け、固定接点部３に対応するプリント基板上に可動接点部材１を配設し、可動接点部材１を押し子５およびカバー部材６と一体に形成された保護シート４で覆うようにプリント基板上に保持する構成でもよい。
【００４２】
（２）本実施形態において、保護シート４、押し子５およびカバー部材６を同一材料のＰＥＥＫを用いて形成する構成としたが、リフロー半田付け工程などの高温度環境の中に配置されない用途で使用する場合には、それぞれ異なる材料で形成されていても良い。例えば、ＰＥＥＫよりも耐熱性が低く、価格の安い材料にして低コスト化するなどしてもよい。
【００４３】
（３）本実施形態において、カバー部材６を可動接点部材１とほぼ同じ大きさとする構成としたが、カバー部材６と可動接点部材１との互いの動作を阻害しない程度に、一部分で貼り付くようにカバー部材６の一部が削除されている構成としてもよい。図６はカバー部材６の形状が図２における形状と異なる場合を示した押釦スイッチ１００の構成を示す分解斜視図であるが、例えば、図６に示すように、カバー部材６の中央部に開口部Ｘを設け、可動接点部材１の膨出部１ａの一部が保護シート４に貼り付く構成としてもよい。
【符号の説明】
【００４４】
１      可動接点部材
１ａ    膨出部
２      基台
２ａ    収容部
３      固定接点部
３ａ    第１固定接点部
３ｂ    第２固定接点部
３ｃ    第１接続端子部
３ｄ    第２接続端子部
４      保護シート
４ａ    粘着層
５      押し子
５ａ    溶着部
５ｂ    透過部
６      カバー部材
１００  押釦スイッチ
【図１】
0003178598.tif 000003
【図２】
0003178598.tif 000004
【図３】
0003178598.tif 000005
【図４】
0003178598.tif 000006
【図５】
0003178598.tif 000007
【図６】
0003178598.tif 000008
【図７】
0003178598.tif 000009